(57)【特許請求の範囲】
【請求項１】
土壌中の害虫に突き刺すための細長状部材が、把手の下面に下向き状に多数設けられ、この細長状部材の間に入り込む土塊を除去するための可動部材を備えて形成されていることを特徴とする手持式の土壌害虫駆除器。
【請求項２】
請求項１記載の手持式の土壌害虫駆除器であって、可動部材が、板状に形成されて細長状部材に嵌め挿され、細長状部材に案内されて進退動作自在に形成されていることを特徴とする手持式の土壌害虫駆除器。
【請求項３】
請求項２記載の手持式の土壌害虫駆除器であって、可動部材が、細長状部材の先端付近に配置され、この可動部材の裏側に細長状部材に嵌め挿された状態でコイルバネが設けられ、細長状部材が土壌から引き抜かれると上記のコイルバネの復元力で可動部材が細長状部材の先端側に移動可能に形成されていることを特徴とする手持式の土壌害虫駆除器。
【請求項４】
請求項３記載の手持式の土壌害虫駆除器であって、可動部材が正方形に形成され、この可動部材の四隅に対応する位置の細長状部材にコイルバネが嵌め挿されていることを特徴とする手持式の土壌害虫駆除器。
【請求項５】
請求項１乃至４の何れかに記載の手持式の土壌害虫駆除器であって、細長状部材が、把手の下面に縦横方向に等間隔をあけて複数の行と列の状態に設けられていることを特徴とする手持式の土壌害虫駆除器。
【請求項６】
請求項５記載の手持式の土壌害虫駆除器であって、細長状部材が電極であり、陽極と陰極が縦横方向とも交互に配列され、この陽極と陰極に電流を流して土壌中の害虫を感電死可能に形成されていることを特徴とする手持式の土壌害虫駆除器。
【発明の詳細な説明】
【技術分野】
【０００１】
本発明は、手に持って使用する土壌害虫駆除器に関し、更に詳しくは土壌中に生息する、例えば夜盗虫等の害虫の駆除に適するよう形成した手持式の土壌害虫駆除器に関するものである。
【背景技術】
【０００２】
ところで、夜盗虫の幼虫は、老齢期（蛹化の前）になると、日中は土の中（通常、１〜２ｃｍの深さ）に「の」の字形状に丸まって潜り、夜になると土中から這い出て植物の葉や茎を食む。また夜盗虫の仲間であるネギリ虫の幼虫は、植物の根や茎を食べて植物を枯らしてしまうことが多い。
【０００３】
而して、従来この種の害虫を駆除する器具としては、例えば特許文献１に記載されているものがある。
この従来品は、左右の陽極棒の間に陰極棒を配置し、この陽極棒と陰極棒、及び発電機等を備えた本体を、トラクターで牽引して土中の虫を感電死させる構造である。
【０００４】
従って、この従来品の場合は、装置が大型化し、保管スペースを広く必要とし、また値段が高くなるのを避けられず、家庭菜園やガーデニングで手軽に使用するには不向きであった。
そのため、従来、手動操作で簡便に使用できる、使い勝手の良い、この種の害虫用駆除器の出現が強く望まれていた。
【０００５】
しかしながらこの場合、例えば土壌中に殺虫剤（消毒液）を手動操作で注入可能に形成するのでは、薬剤のコストがかかり、作業が面倒で、しかも殺虫剤が作物等に悪影響を及ぼす惧れがある。また、例えば錐状に形成して土壌中の害虫を刺し殺すのでは効率が悪く、またこの場合は、土壌が湿っていると、土塊が錐の先等に付着し、駆除作業の能率が低下する、という問題が生じる。
【先行技術文献】
【特許文献】
【０００６】
【特許文献１】特開平６−９０６５０号公報
【発明の概要】
【発明が解決しようとする課題】
【０００７】
本発明は、このような従来技術の問題点に鑑み、提案されたものである。
従って本発明の解決しようとする技術的課題は、家庭菜園やガーデニングで手軽に使用できるよう、小型化、軽量化、低コスト化して、夜盗虫等の土壌中に潜む害虫を、簡便に且つ効率良く駆除でき、しかも土壌が湿っている場合でも作業能率の低下を来たすことがないよう形成した手持式の土壌害虫駆除器を提供することにある。
【課題を解決するための手段】
【０００８】
本発明は、上記の課題を解決するため、次のような技術的手段を採る。
即ち本発明は、図１等に示されるように、土壌中の害虫１に突き刺すための細長状部材２が、把手３の下面３ａに下向き状に多数設けられ、この細長状部材２の間に入り込む土塊４を除去するための可動部材５を備えて形成されていることを特徴とする（請求項１）。
【０００９】
本発明の場合、細長状部材２は、耐食性、硬質性の材料で形成される。具体的には、例えば鉄、ステンレス、アルミニウム、鋼等の金属材で実現される。また細長状部材２は、土壌に突き刺し易くなるよう、先端が尖って形成され、通常、同じ長さ（高さ）に形成されるが、長さは変えられているのでも良い。また細長状部材２の本数（個数）や、把手３の下面３ａの面積は、駆除対象の害虫１の大きさ等により適宜選定されるので良い。また細長状部材２は、通常、例えば行列状や同心円状に配列されるが、これに限定されるものではない。
【００１０】
また本発明の場合、把手３の形態は自由であり、下面３ａは、例えば方形状、円形状、或いは長円形状等に形成されるので良い。また可動部材５は、例えば板状に形成され、細長状部材２に案内されて進退動作（上下動作）自在に形成されるのでも、或いは、例えば櫛歯状に形成され、上辺の横軸を中心に回動して細長状部材２の間に詰まっている土塊４を櫛歯で除去できるよう形成されているのでも良い。
【００１１】
而して、本発明は、可動部材５が、板状に形成されて細長状部材２に嵌め挿され、細長状部材２に案内されて進退動作自在に形成されているのが好ましい（請求項２）。
なぜならこれによると、可動部材５の動きが直線的になり、迅速に、且つ円滑に土塊４を落として除去できるからである。
【００１２】
またこの場合、本発明は、可動部材５が、細長状部材２の先端付近に配置され、この可動部材５の裏側に細長状部材２に嵌め挿された状態でコイルバネ６が設けられ、細長状部材２が土壌から引き抜かれると上記のコイルバネ６の復元力で可動部材５が細長状部材２の先端側に移動可能に形成されているのが好ましい（請求項３）。
なぜならこれによると、細長状部材２を土壌から引き抜くと、コイルバネ６の復元作用で可動部材５が自動的に細長状部材２の側に移動し、特別な操作を必要とすることなく、簡単、迅速に土塊４を落として除去できるからである。
【００１３】
この場合、本発明は、可動部材５が正方形に形成され、この可動部材５の四隅に対応する位置の細長状部材２にコイルバネ６が嵌め挿されているのが好ましい（請求項４）。
なぜならこれによると、可動部材５をバランス良く安定した姿勢で進退動作させることができるからである。
【００１４】
また本発明は、図３等に示されるように、細長状部材２が、把手３の下面３ａに縦横方向に等間隔をあけて複数の行と列の状態に設けられているのが好ましい（請求項５）。
なぜならこれによると、細長状部材２が碁盤の目のように規則正しく配列されるため、害虫１の突き刺し洩れが少なくなるからである。またこれによると、細長状部材２の取り付け作業を簡単化でき、可動部材５の構成を単純化でき、可動部材５の製造を容易化できるからである。
【００１５】
なお、土壌中に潜む害虫１の典型である夜盗虫は、体長が、通常、２０〜５０（ｍｍ）であり、太さが３〜７（ｍｍ）位である。また日中は、土中に、「の」の字の形状をして、丸まって潜っている。従って、本発明の場合、細長状部材２の間隔は、夜盗虫を突き刺し易くなるよう、通常、数ミリメートル程度に選定されるのが良い。
【００１６】
また本発明は、細長状部材２が電極であり、図４に示されるように、陽極２ａと陰極２ｂが縦横方向とも交互に配列され、この陽極２ａと陰極２ｂに電流を流して土壌中の害虫１を感電死可能に形成されているのが好ましい（請求項６）。
なぜならこれによると、突き刺し損ねた害虫１に、複数の電流路から合算した電流を流して害虫１を感電死させることができるからである。
【発明の効果】
【００１７】
本発明は、このように土壌中の害虫に突き刺すための細長状部材が、把手の下面に下向き状に多数設けられ、この細長状部材の間に入り込む土塊を除去するための可動部材を備えて形成されているものである。
【００１８】
従って、本発明は、把手を利用して地面の広い範囲を一遍に突き刺して細長状部材で土壌中の害虫を簡便に且つ効率良く駆除できる。
また本発明品は、コンパクトであり、軽量化、低廉化できるから、家庭菜園やガーデニングで手軽に使用することができる。
また本発明は、細長状部材の間に入り込む土塊を可動部材で除去できる。
従って、本発明の場合は、土壌が湿っている場合でも、細長状部材の突き刺し機能の低下を防止できるから、これによれば、駆除作業の能率の低下を来たすことがない。
【図面の簡単な説明】
【００１９】
【図１】本発明の駆除器の好適な一実施形態を示す斜視図である。
【図２】同上駆除器の要部側面図である。
【図３】細長状部材の配列状態を示す要部底面図である。
【図４】電極の配列状態を示す要部底面図である。
【図５】電気回路図である。
【図６】パルス信号の印加手順を示すタイムチャートである。
【図７】安全スイッチを示す要部断面図である。
【図８】使用状態を説明するための斜視図である。
【図９】同上駆除器の作用を説明するための要部断面図である。
【図１０】同上駆除器の作用を説明するための要部断面図である。
【図１１】電流の流れ、手順を説明するための要部構成図である。
【図１２】電流の流れ、手順を説明するためのタイムチャートである。
【図１３】本発明の他の実施形態を示す一部を切欠した要部側面図である。
【図１４】図１３に示す本発明品の上から見た要部断面図である。
【図１５】図１３の本発明品の他の実施形態を示す要部側面図である。
【発明を実施するための形態】
【００２０】
以下、本発明の好適な一実施形態を、添付図面に従って説明する。
本発明は、図１等に示されるように、土壌中の害虫１に突き刺すための細長状部材２が、把手３の下面３ａに下向き状に多数設けられている。この実施形態の場合、把手３は、握り棒状に形成され、先端側の方形の下面３ａに細長状部材２が設けられている。
【００２１】
また本発明は、上記の細長状部材２の間に入り込む土塊４を除去するための可動部材５を備えて形成されている。この可動部材５は、この実施形態では正方形の板状に形成されて細長状部材２に嵌め挿され、細長状部材２に案内されて進退動作（上下動作）自在に形成されている。可動部材５には、細長状部材２が遊びを持って通される孔５ａが形成されている。
【００２２】
而して、可動部材５は、この実施形態では細長状部材２の先端付近に配置されている。そして、この可動部材５の裏側に、可動部材５を常時弾発するコイルバネ６が、細長状部材２に嵌め挿されて設けられている。従って、細長状部材２が、土壌から引き抜かれると、コイルバネ６の復元力で可動部材５は細長状部材２の先端側に移動し、復帰するものである。なお、コイルバネ６は、この実施形態では可動部材５の四隅に対応する位置の細長状部材２に嵌め挿されている。
【００２３】
また細長状部材２は、把手３の下面３ａに縦横方向に等間隔をあけて複数の行と列の状態に設けられている。この実施形態の場合、細長状部材２は、害虫１としての夜盗虫の体長（通常、２０〜５０ｍｍ）、太さ（通常、３〜７ｍｍ）を考慮し、細長状部材２の軸心間隔を７（ｍｍ）あけて設けられている。
【００２４】
またこの実施形態の場合、細長状部材２は電極であり、陽極２ａと陰極２ｂが、図４に、＋、−の記号で示されるように、縦横方向とも交互に配列されている。この細長状部材２は、具体的にはステンレスやアルミ合金等の導電性の金属材で、同じ太さ、同じ高さに形成されている。また細長状部材２は、土壌に突き刺し易くなるよう、先端（下端）が尖って形成されている。
【００２５】
そして、この実施形態の本発明は、上記の陽極２ａと陰極２ｂに電流を流し、害虫１を感電死可能に形成されている。
図５は、本発明品の電気回路図である。この実施形態の本発明の電気回路は、大別して電源部７と制御回路部８とで構成されている。
【００２６】
電源部７は、２０（ＫＨｚ）発振回路からの駆動パルスでスイッチング素子９ａ、９ｂを交互にオンオフ制御し、昇圧トランス１０で交流電圧を発生させ、ダイオード１１、及びコンデンサ１２で直流電圧を出力して陽極２ａに給電するよう構成されている。この場合、電圧は、この実施形態では２００Ｖに選定されている。これは、土壌の性質や水分の含有量で土壌の電気抵抗は異なるものの、土壌中の夜盗虫等の害虫１を感電死させるには、通常、１５０Ｖ以上の電圧を印加する必要があることからである。
【００２７】
なお、電源スイッチ１３は、手元で操作できるよう、この実施形態では図１、図８に示されるように、把手３の適宜位置に設けられている。また電源１４は、この実施形態では蓄電池で構成され、作業者１５（図８参照）が腰のベルト１６にフック１７（図１参照）を介して吊り下げることができるよう、ボックス１８に収納されている。
【００２８】
また上記の制御回路部８は、図５、図６に示されるように、パルス発生回路１９から１〜２５のパルス信号を順送りでスイッチング素子ＴＲ１〜ＴＲ２５に供給するよう構成されている。スイッチング素子ＴＲ１〜ＴＲ２５は、夫々、各陰極２ｂに接続されている。なお、１パルス時間は、任意で良いが、この実施形態では５０（ｍｓｅｃ）に選定されている。
【００２９】
また制御回路部８は、把手３内に収納され、電源部７とコード２０を介して電気的に接続されている。なお、この実施形態の場合、夜盗虫等の害虫１に流れる電流ｉ１〜ｉ２５は、スイッチング素子Ｔｒ１〜Ｔｒ２５、及び抵抗ｒ１〜ｒ２５で決定される。
【００３０】
またこの実施形態の場合は、電源スイッチ１３を入れた後、作業者１５が過って陽極２ａ、陰極２ｂに触れても感電しないよう、制御回路部８は、図７に示されるように、安全スイッチ２１を備えて構成されている。この安全スイッチ２１は、把手３の下面３ａから、ゴム板等の可撓性の面状材２２を介して下方に突き出されている突起部２３と、この突起部２３の上下動作でオン、オフ制御されるマイクロスイッチ２４とで形成されている。
【００３１】
上記の面状材２２は、把手３の下面３ａに、マイクロスイッチ２４の収納部２５を密閉するよう接着されている。また突起部２３は、プラスチック等の絶縁質の耐食性材料で、逆円錐形に形成されている。そして、この実施形態の場合は、突起部２３の軸心線上の面状材２２の中央箇所に、マイクロスイッチ２４をオンオフし易くするための半球状の凸部２６が、上向き状に形成されている。
【００３２】
次に本発明の使用例及び作用を説明する。
先ず作業者１５は、把手３を持って電源スイッチ１３を入れ、次に図８に示されるように、細長状部材２を地面に当て、コイルバネ６の弾発力に抗して細長状部材２を土壌に刺し込む。
【００３３】
すると、図９に示されるように、土壌中の害虫１は、細長状部材２に突き刺され、細長状部材２を土壌から引き抜くと、その先端や、細長状部材２の間に挟まれた状態で回収される。
【００３４】
また作業者１５が、把手３を持ち上げ、細長状部材２を土壌から引き抜くと、可動部材５がコイルバネ６を圧縮させた状態（図９参照）から、コイルバネ６の復元力で押し戻され、図１０に示されるように復帰する。これにより、同図に示されるように、細長状部材２の間に入り込んでいる土塊４が可動部材５で押し出されて除去される。
【００３５】
而して、この実施形態の場合は、可動部材５が把手３の下面３ａの側に移動すると、突起部２３が押され、面状材２２が上方に撓むことにより、凸部２６がマイクロスイッチ２４を押し、安全スイッチ２１がオンになる。すると、本発明品は、パルス発生回路１９から、パルスがスイッチング素子ＴＲ１〜ＴＲ２５に順次供給され、電流ｉ１〜ｉ２５が流れる。
【００３６】
この場合、この実施形態では、上記の通り、陽極２ａ、陰極２ｂが縦横方向に、交互に配列されている。従って、夜盗虫等の害虫１が、図１１に示されるような状態で電極間に挟まれている場合は、パルス電流が、図１１、図１２に示されるように流れる。
【００３７】
即ち、図１１において、陰極Ｎｏ１では、時間ｔ１（図１２参照）だけ電流ｉ１が陽極ａ、ｃ、ｄから流れ、陰極Ｎｏ２では、時間ｔ２だけ電流ｉ２が陽極ａ、ｃ、ｄから流れる。また陰極Ｎｏ４では、時間ｔ４だけ電流ｉ４が陽極ａ、ｃ、ｄから流れる。
【００３８】
従って、このケースでは、陰極Ｎｏ１、２、４に夫々３経路づつ、合計９経路の電流路が生じ、時間ｔ１、ｔ２、ｔ４を足した時間だけ、電流ｉ１、ｉ２、ｉ４が、害虫１としての夜盗虫に流れるものである。
【００３９】
それ故、本発明品では、各電流路から流れる電流を足した大きな電流を夜盗虫等の害虫１に流すことができるから、例えば一対の電極間に電流を流して害虫１を感電死させる場合に比べ、効率良く、且つ確実に、害虫１を感電死させることができる。
【００４０】
以上の処において、本発明の場合、上記の電源１４は、上例のような蓄電池に代え、家庭用１００ボルト交流電源を利用してコンセントから電気コードで直接給電可能に形成されているのでも良い。
【００４１】
また本発明は、可動部材５をコイルバネ６で復帰させるのに代え、図１３に示されるように形成されているのでも良い。
この実施形態の場合は、可動部材５がリンク機構２７を介して把手３に設けられている引き金２８に接続されている。
【００４２】
可動部材５は、常時は、リンク機構２７を形成する横向きのリンク部材２７ａ、縦向きのリンク部材２７ｂ等を介して細長状部材２の先端（下端）の付近に配置されている。この状態で作業者１５が、細長状部材２を土壌に突き刺すと、土壌の抵抗で可動部材５が細長状部材２に案内されて把手３の下面３ａの側に移動する（図１３の鎖線状態を参照）。
【００４３】
そして、作業者１５が、土壌から細長状部材２を引き抜き、引き金２８を矢示のように引くと、枢着軸２９を中心に、横向きのリンク部材２７ａが、図面上、反時計方向に少し回り、縦向きのリンク部材２７ｂを押し下げる。これにより、可動部材５が細長状部材２に案内されて下降し、細長状部材２の間の土塊４を落として除去する。
【００４４】
而して、この実施形態の場合は、図１５に示されるように、横向きのリンク部材２７ａの先端に長孔３０を形成し、この長孔３０に通した軸３１を介して横向きのリンク部材２７ａと縦向きのリンク部材２７ｂを枢着するのでも良い。この場合は、軸３１が長孔３０に案内されて移動するため、横向きのリンク部材２７ａの回動作用で、縦向きのリンク部材２７ｂがぶれることを防止できるものである。
【符号の説明】
【００４５】
１      害虫
２      細長状部材
３      把手
３ａ    下面
４      土塊
５      可動部材
【要約】
【課題】  家庭菜園やガーデニングで手軽に使用できるよう、小型化、軽量化、低コスト化して、夜盗虫等の土壌中に潜む害虫を、簡便に且つ効率良く駆除でき、しかも土壌が湿っている場合でも作業能率の低下を来たすことがないようにする。
【解決手段】  土壌中の害虫１に突き刺すための細長状部材２を、把手３の下面３ａに下向き状に多数設ける。この細長状部材２の間に入り込む土塊４を除去するための可動部材５を備えて形成する。本発明は、可動部材５を、板状に形成して細長状部材２に嵌め挿し、細長状部材２に案内させて進退動作自在に形成するのが好ましい。
【選択図】      図１【図１】
0004832610.tif 000002
【図２】
0004832610.tif 000003
【図３】
0004832610.tif 000004
【図４】
0004832610.tif 000005
【図５】
0004832610.tif 000006
【図６】
0004832610.tif 000007
【図７】
0004832610.tif 000008
【図８】
0004832610.tif 000009
【図９】
0004832610.tif 000010
【図１０】
0004832610.tif 000011
【図１１】
0004832610.tif 000012
【図１２】
0004832610.tif 000013
【図１３】
0004832610.tif 000014
【図１４】
0004832610.tif 000015
【図１５】
0004832610.tif 000016